(57)【要約】【課題】携帯端末にモバイルネットワークを介して大容量のコンテンツを配信する場合に、携帯端末が移動しても途切れることなくコンテンツを配信できるようにすること。【解決手段】配信システムは、コンテンツ配信サーバに接続された複数のパケット転送装置と、複数のパケット転送装置と携帯端末の間の通信を中継する複数の無線制御装置と、複数のパケット転送装置および複数の無線制御装置のうちの少なくともいずれかにそれぞれ接続され、携帯端末から要求されたコンテンツを一時的に保持する複数のキャッシュサーバと、携帯端末が移動したと判定した場合には、携帯端末から要求されたコンテンツのうちの携帯端末にすでに配信された部分を識別するインデックスを、複数のキャッシュサーバのうちの携帯端末が移動前に接続されていたものから移動後に接続されたものへ通知するように制御する配信制御装置とを備えている。【選択図】図１
2012023659.tif 000002
【特許請求の範囲】
【請求項１】
コンテンツ配信サーバに接続された複数のパケット転送装置と、
前記複数のパケット転送装置と携帯端末との間の通信を中継する複数の無線制御装置と、
前記複数のパケット転送装置および前記複数の無線制御装置のうちの少なくともいずれかにそれぞれ接続されるとともに、前記携帯端末から要求されたコンテンツを一時的に保持する複数のキャッシュサーバと、
前記携帯端末が移動したと判定した場合には、前記携帯端末から要求されたコンテンツのうちの前記携帯端末にすでに配信された部分を識別するインデックスを、前記複数のキャッシュサーバのうちの前記携帯端末が移動前に接続されていたキャッシュサーバから移動後に接続されたキャッシュサーバへ通知するように制御するとともに、移動後に接続されたキャッシュサーバが前記携帯端末から要求されたコンテンツを保有していないときには、移動前に接続されていたキャッシュサーバから移動後に接続されたキャッシュサーバへ、該コンテンツを送信するように制御する配信制御装置と、をモバイルネットワーク上に備えていることを特徴とする配信システム。
【請求項２】
前記複数のキャッシュサーバのうちの前記携帯端末が移動後に接続されたキャッシュサーバは、前記インデックスを参照し、前記コンテンツのうちの前記携帯端末に配信されていない部分を前記携帯端末に配信することを特徴とする、請求項１に記載の配信システム。
【請求項３】
前記インデックスは、前記コンテンツを格納したパケットのシーケンス番号もしくはタイムスタンプ、または、前記コンテンツをファイルで配信する場合におけるファイル番号であることを特徴とする、請求項１または２に記載の配信システム。
【請求項４】
前記配信制御装置は、前記複数のパケット転送装置から前記携帯端末のロケーション情報を受信し、該ロケーション情報に基づいて前記携帯端末が移動したか否かを判定することを特徴とする、請求項１ないし３のいずれか１項に記載の配信システム。
【請求項５】
前記配信制御装置は、所定の時間ごとに前記携帯端末が移動したか否かを判定し、かつ／または、所定の時間ごとに前記ロケーション情報を受信することを特徴とする、請求項１ないし４のいずれか１項に記載の配信システム。
【請求項６】
前記複数のパケット転送装置と前記複数の無線制御装置との間に設けられ、前記複数の無線制御装置からのパケットが所定の条件を満たす場合に限り、前記複数のパケット転送装置と前記複数の無線制御装置との間の上りおよび下りの通信を許可し、該所定の条件を満たさない場合には、前記複数のパケット転送装置を迂回して前記モバイルネットワーク以外のネットワークを介して上りおよび下りの通信を行うゲートウェイ装置をさらに備えていることを特徴とする、請求項１ないし５のいずれか１項に記載の配信システム。
【請求項７】
前記モバイルネットワークは、モバイルパケットネットワークであり、
前記複数のパケット転送装置は、それぞれＳＧＳＮ（Ｓｅｒｖｉｎｇ  ＧＰＲＳ  Ｓｕｐｐｏｒｔ  Ｎｏｄｅ）装置、ＧＧＳＮ（Ｇａｔｅｗａｙ  ＧＰＲＳ  Ｓｕｐｐｏｒｔ  Ｎｏｄｅ）装置またはｘＧＳＮ装置であり、
前記複数の無線制御装置は、それぞれＲＮＣ（Ｒａｄｉｏ  Ｎｅｔｗｏｒｋ  Ｃｏｎｔｒｏｌｌｅｒ）装置であることを特徴とする、請求項１ないし６のいずれか１項に記載の配信システム。
【請求項８】
前記モバイルネットワークは、モバイルＬＴＥ（Ｌｏｎｇ  Ｔｅｒｍ  Ｅｖｏｌｕｔｉｏｎ）／ＥＰＣ（Ｅｖｏｌｖｅｄ  Ｐａｃｋｅｔ  Ｃｏｒｅ）ネットワークであり、
前記複数のパケット転送装置は、それぞれＳ−ＧＷ装置、Ｐ−ＧＷ装置またはＳ／Ｐ−ＧＷ装置であり、
前記複数の無線制御装置は、それぞれｅＮｏｄｅＢ（ｅｖｏｌｖｅｄ  Ｎｏｄｅ  Ｂ）装置であることを特徴とする、請求項１ないし６のいずれか１項に記載の配信システム。
【請求項９】
コンテンツ配信サーバに接続された複数のパケット転送装置と、該複数のパケット転送装置と携帯端末との間の通信を中継する複数の無線制御装置と、該複数のパケット転送装置および該複数の無線制御装置のうちの少なくともいずれかにそれぞれ接続されるとともに該携帯端末から要求されたコンテンツを一時的に保持する複数のキャッシュサーバとを備えたモバイルネットワークに設けられる配信制御装置であって、
前記携帯端末が移動したと判定した場合には、前記携帯端末から要求されたコンテンツのうちの前記携帯端末にすでに配信された部分を識別するインデックスを、前記複数のキャッシュサーバのうちの前記携帯端末が移動前に接続されていたキャッシュサーバから移動後に接続されたキャッシュサーバへ通知するように制御するとともに、移動後に接続されたキャッシュサーバが前記携帯端末から要求されたコンテンツを保有していないときには、移動前に接続されていたキャッシュサーバから移動後に接続されたキャッシュサーバへ、該コンテンツを送信するように制御することを特徴とする配信制御装置。
【請求項１０】
コンテンツ配信サーバに接続された複数のパケット転送装置と、該複数のパケット転送装置と携帯端末との間の通信を中継する複数の無線制御装置と、該複数のパケット転送装置および該複数の無線制御装置のうちの少なくともいずれかにそれぞれ接続されるとともに該携帯端末から要求されたコンテンツを一時的に保持する複数のキャッシュサーバとを備えたモバイルネットワークに設けられた配信制御装置が、該携帯端末が移動したか否かを判定する工程を含み、
前記携帯端末が移動したと判定した場合には、前記携帯端末から要求されたコンテンツのうちの前記携帯端末にすでに配信された部分を識別するインデックスを、該複数のキャッシュサーバのうちの該携帯端末が移動前に接続されていたキャッシュサーバから移動後に接続されたキャッシュサーバへ通知するように制御する工程と、
移動後に接続されたキャッシュサーバが前記携帯端末から要求されたコンテンツを保有していないときには、移動前に接続されていたキャッシュサーバから移動後に接続されたキャッシュサーバへ、該コンテンツを送信するように制御する工程と、を含むことを特徴とする配信制御方法。
【発明の詳細な説明】
【技術分野】
【０００１】
本発明は、配信システム、配信制御装置および配信制御方法に関し、特に、モバイルネットワークを介して携帯端末にコンテンツを効率良く配信する配信システム、配信制御装置および配信制御方法に関する。
【背景技術】
【０００２】
モバイルネットワークの高速化・大容量化の進展に伴い、モバイルネットワークを介して携帯端末にコンテンツを配信するコンテンツ配信が普及しつつある。
【０００３】
ＬＴＥ（Ｌｏｎｇ  Ｔｅｒｍ  Ｅｖｏｌｕｔｉｏｎ）、ＥＰＣ（Ｅｖｏｌｖｅｄ  Ｐａｃｋｅｔ  Ｃｏｒｅ）技術により、モバイルネットワークは、さらに高速化・大容量化されると予想されている。
【０００４】
ここで、携帯端末として、例えば、携帯電話、ＰＣ（Ｐｅｒｓｏｎａｌ  Ｃｏｍｐｕｔｅｒ）、ゲーム機などが考えられる。また、コンテンツとして、動画、静止画、オーディオ、ソフトウェア、アプリケーションが考えられる。
【０００５】
今後２０１３年にかけて、データ系のトラヒック量は８倍から１０倍に増大し、トラヒックの大半をコンテンツデータが占めると予測されている。また、映像コンテンツがコンテンツデータの６０％以上を占めると予測されている。したがって、携帯端末の処理能力がさらに向上すると、近い将来、モバイルネットワークにおいても、ハイビジョン解像度による大容量の映像コンテンツが流通することが予想される。
【０００６】
ところで、モバイルネットワークにおいてコンテンツの配信を行う配信システムでは、すべての携帯端末からのパケットがモバイルネットワーク上のパケット転送装置を介して１台または複数台のコンテンツ配信サーバに送信される。また、コンテンツ配信サーバは、パケット転送装置を介して、すべての携帯端末にコンテンツパケットまたはコンテンツファイルを配信する。
【０００７】
なお、特許文献１に、インターネットなどにおいてスケーラビリティに優れたコンテンツ配信を行なうコンテンツ配信支援システムが記載されている。
【先行技術文献】
【特許文献】
【０００８】
【特許文献１】特開２０１０−１１３４６０号公報
【発明の概要】
【発明が解決しようとする課題】
【０００９】
以下の分析は、本発明者によってなされたものである。上記の配信システムによると、以下の問題がある。
【００１０】
上記の配信システムでは、パケットの属性に関係なく、すべてのパケットがモバイルネットワークを流れる。したがって、多数の大容量コンテンツを多数の携帯端末に配信した場合には、モバイルネットワークにおいて輻輳が生じるおそれがある（第１の問題）。
【００１１】
上記の配信システムにおいては、携帯端末とコンテンツ配信サーバとの距離が長いため、携帯端末にコンテンツが到着するまでに時間を要し、携帯端末で要求を出してからコンテンツを再生するまでの遅延時間が長くなる。したがって、エンドユーザのＱｏＥ（Ｑｕａｌｉｔｙ  ｏｆ  Ｅｘｐｅｒｉｅｎｃｅ）が悪化する（第２の問題）。
【００１２】
コンテンツ配信サービスにおいては、携帯端末の移動にかかわらずサービスを提供する必要がある。特に、携帯端末へのコンテンツ配信中に携帯端末が移動しても携帯端末側で途切れることなく連続してコンテンツを視聴できるようにする必要がある。しかしながら、上記の配信システムによると、これを実現することが困難であるという問題がある（第３の問題）。
【００１３】
上記の配信システムにおいて、携帯端末の台数が増大し、または、コンテンツが大容量になりトラヒック量が増大すると、コンテンツ配信サーバの配信能力、パケット転送装置の転送能力などがボトルネックになり、その結果、モバイルネットワーク内のトラヒックが輻輳し、遅延やパケットロスが発生する。したがって、携帯端末側で画像がフリーズしたり、音声が途切れたりするおそれがある（第４の問題）。
【００１４】
上記の配信システムにおいては、上述のボトルネックを解消するためには、携帯端末の増加またはトラヒック量の増加を見越して、モバイルネットワークの設備を常に増強し続ける必要がある（第５の問題）。
【００１５】
そこで、携帯端末にモバイルネットワークを介して大容量のコンテンツを配信する場合に、携帯端末が移動しても途切れることなくコンテンツを配信できるようにすることが課題となる。本発明の目的は、かかる課題を解決する配信システム、配信制御装置および配信制御方法を提供することにある。
【課題を解決するための手段】
【００１６】
本発明の第１の視点に係る配信システムは、
コンテンツ配信サーバに接続された複数のパケット転送装置と、
前記複数のパケット転送装置と携帯端末との間の通信を中継する複数の無線制御装置と、
前記複数のパケット転送装置および前記複数の無線制御装置のうちの少なくともいずれかにそれぞれ接続されるとともに、携帯端末から要求されたコンテンツを一時的に保持する複数のキャッシュサーバと、
前記携帯端末が移動したと判定した場合には、前記携帯端末から要求されたコンテンツのうちの前記携帯端末にすでに配信された部分を識別するインデックスを、前記複数のキャッシュサーバのうちの前記携帯端末が移動前に接続されていたキャッシュサーバから移動後に接続されたキャッシュサーバへ通知するように制御するとともに、移動後に接続されたキャッシュサーバが前記携帯端末から要求されたコンテンツを保有していないときには、移動前に接続されていたキャッシュサーバから移動後に接続されたキャッシュサーバへ、該コンテンツを送信するように制御する配信制御装置と、をモバイルネットワーク上に備えている。
【００１７】
本発明の第２の視点に係る配信制御装置は、
コンテンツ配信サーバに接続された複数のパケット転送装置と、該複数のパケット転送装置と携帯端末との間の通信を中継する複数の無線制御装置と、該複数のパケット転送装置および該複数の無線制御装置のうちの少なくともいずれかにそれぞれ接続されるとともに該携帯端末から要求されたコンテンツを一時的に保持する複数のキャッシュサーバとを備えたモバイルネットワークに設けられる配信制御装置であって、
前記携帯端末が移動したと判定した場合には、前記携帯端末から要求されたコンテンツのうちの前記携帯端末にすでに配信された部分を識別するインデックスを、前記複数のキャッシュサーバのうちの前記携帯端末が移動前に接続されていたキャッシュサーバから移動後に接続されたキャッシュサーバへ通知するように制御するとともに、移動後に接続されたキャッシュサーバが前記携帯端末から要求されたコンテンツを保有していないときには、移動前に接続されていたキャッシュサーバから移動後に接続されたキャッシュサーバへ、該コンテンツを送信するように制御する。
【００１８】
本発明の第３の視点に係る配信制御方法は、
コンテンツ配信サーバに接続された複数のパケット転送装置と、該複数のパケット転送装置と携帯端末との間の通信を中継する複数の無線制御装置と、該複数のパケット転送装置および該複数の無線制御装置のうちの少なくともいずれかにそれぞれ接続されるとともに該携帯端末から要求されたコンテンツを一時的に保持する複数のキャッシュサーバとを備えたモバイルネットワークに設けられた配信制御装置が、該携帯端末が移動したか否かを判定する工程を含み、
前記携帯端末が移動したと判定した場合には、前記携帯端末から要求されたコンテンツのうちの前記携帯端末にすでに配信された部分を識別するインデックスを、該複数のキャッシュサーバのうちの該携帯端末が移動前に接続されていたキャッシュサーバから移動後に接続されたキャッシュサーバへ通知するように制御する工程と、
移動後に接続されたキャッシュサーバが前記携帯端末から要求されたコンテンツを保有していないときには、移動前に接続されていたキャッシュサーバから移動後に接続されたキャッシュサーバへ、該コンテンツを送信するように制御する工程と、を含む。
【発明の効果】
【００１９】
本発明に係る配信システム、配信制御装置および配信制御方法によると、携帯端末にモバイルネットワークを介して大容量のコンテンツを配信する場合に、携帯端末が移動しても途切れることなくコンテンツを配信することができる。
【図面の簡単な説明】
【００２０】
【図１】本発明の第１の実施形態に係る配信システムの構成を一例として示す図である。
【図２】本発明の第２の実施形態に係る配信システムの構成を一例として示す図である。
【図３】本発明の第２の実施形態に係る配信システムにおけるキャッシュサーバの構成を一例として示すブロック図である。
【図４】本発明の第２の実施形態に係る配信システムにおける配信制御装置の構成を一例として示すブロック図である。
【図５】本発明の第３の実施形態に係る配信システムの構成を一例として示す図である。
【発明を実施するための形態】
【００２１】
第１の展開形態によると、上記第１の視点に係る配信システムが提供される。
【００２２】
第２の展開形態によると、複数のキャッシュサーバのうちの携帯端末が移動後に接続されたキャッシュサーバは、インデックスを参照し、コンテンツのうちの携帯端末に配信されていない部分を携帯端末に配信する、配信システムが提供される。
【００２３】
第３の展開形態によると、インデックスは、コンテンツを格納したパケットのシーケンス番号もしくはタイムスタンプ、または、コンテンツをファイルで配信する場合におけるファイル番号である、配信システムが提供される。
【００２４】
第４の展開形態によると、配信制御装置は、複数のパケット転送装置から携帯端末のロケーション情報を受信し、該ロケーション情報に基づいて携帯端末が移動したか否かを判定する、配信システムが提供される。
【００２５】
第５の展開形態によると、配信制御装置は、所定の時間ごとに携帯端末が移動したか否かを判定し、かつ／または、所定の時間ごとにロケーション情報を受信する、配信システムが提供される。
【００２６】
第６の展開形態によると、複数のパケット転送装置と複数の無線制御装置との間に設けられ、複数の無線制御装置からのパケットが所定の条件を満たす場合に限り、複数のパケット転送装置と複数の無線制御装置との間の上りおよび下りの通信を許可し、該所定の条件を満たさない場合には、複数のパケット転送装置を迂回してモバイルネットワーク以外のネットワークを介して上りおよび下りの通信を行うゲートウェイ装置をさらに備えている、配信システムが提供される。
【００２７】
第７の展開形態によると、
モバイルネットワークは、モバイルパケットネットワークであり、
複数のパケット転送装置は、それぞれＳＧＳＮ（Ｓｅｒｖｉｎｇ  ＧＰＲＳ  Ｓｕｐｐｏｒｔ  Ｎｏｄｅ）装置、ＧＧＳＮ（Ｇａｔｅｗａｙ  ＧＰＲＳ  Ｓｕｐｐｏｒｔ  Ｎｏｄｅ）装置またはｘＧＳＮ装置であり、
複数の無線制御装置は、それぞれＲＮＣ（Ｒａｄｉｏ  Ｎｅｔｗｏｒｋ  Ｃｏｎｔｒｏｌｌｅｒ）装置である、配信システムが提供される。
【００２８】
第８の展開形態によると、
モバイルネットワークは、モバイルＬＴＥ（Ｌｏｎｇ  Ｔｅｒｍ  Ｅｖｏｌｕｔｉｏｎ）／ＥＰＣ（Ｅｖｏｌｖｅｄ  Ｐａｃｋｅｔ  Ｃｏｒｅ）ネットワークであり、
複数のパケット転送装置は、それぞれＳ−ＧＷ装置、Ｐ−ＧＷ装置またはＳ／Ｐ−ＧＷ装置であり、
複数の無線制御装置は、それぞれｅＮｏｄｅＢ（ｅｖｏｌｖｅｄ  Ｎｏｄｅ  Ｂ）装置である、配信システムが提供される。
【００２９】
第９の展開形態によると、上記第２の視点に係る配信制御装置が提供される。
【００３０】
第１０の展開形態によると、上記第３の視点に係るプログラムが提供される。
【００３１】
本発明に係る配信システム、配信制御装置および配信制御方法によると、携帯端末へのコンテンツ配信中に携帯端末が移動しても、配信制御装置の制御により、移動前に接続されていたキャッシュサーバと移動後に接続されたキャッシュサーバとの間で、必要に応じてコンテンツがコピーされる。また、配信制御装置の制御により、移動前に携帯端末に配信したコンテンツのシーケンス番号もしくはタイムスタンプまたはファイル番号が移動後のキャッシュサーバに送信される。
【００３２】
したがって、本発明に係る配信システム、配信制御装置および配信制御方法によると、携帯端末にモバイルネットワークを介して大容量のコンテンツを配信する場合に、携帯端末が移動しても途切れることなくコンテンツを配信することができる。
【００３３】
以下、本発明の実施形態に係る配信システムの構成および動作について、図面を参照しつつ詳細に説明する。
【００３４】
（実施形態１）
本発明の第１の実施形態に係る配信システムについて、図面を参照して説明する。
【００３５】
図１は、本実施形態に係る配信システムの構成を示す図である。図１を参照すると、配信システムは、複数のパケット転送装置９０＿１〜９０＿Ｎと、複数の無線制御装置９５＿１〜９５＿Ｌ、９７＿１〜９７＿Ｌと、複数のキャッシュサーバ１０＿１〜１０＿Ｎと、配信制御装置６０と、をモバイルネットワーク５０上に備えている。
【００３６】
複数の無線制御装置９５＿１〜９５＿Ｌ、９７＿１〜９７＿Ｌは、複数のパケット転送装置９０＿１〜９０＿Ｎと通信を行う。
【００３７】
複数のキャッシュサーバ１０＿１〜１０＿Ｎは、複数のパケット転送装置９０＿１〜９０＿Ｎおよび複数の無線制御装置９５＿１〜９５＿Ｌ、９７＿１〜９７＿Ｌのうちの少なくともいずれかにそれぞれ接続される。複数のキャッシュサーバ１０＿１〜１０＿Ｎは、携帯端末から要求されたコンテンツを一時的に保持する。
【００３８】
配信制御装置６０は、携帯端末が移動したと判定した場合には、携帯端末から要求されたコンテンツのうちの携帯端末にすでに配信された部分を識別するインデックスを、複数のキャッシュサーバのうちの携帯端末が移動前に接続されていたキャッシュサーバ（例えばキャッシュサーバ１０＿Ｎ）から移動後に接続されたキャッシュサーバ（例えばキャッシュサーバ１０＿１）へ通知するように制御する。
【００３９】
また、配信制御装置６０は、携帯端末が移動後に接続されたキャッシュサーバが携帯端末から要求されたコンテンツを保有していないときには、移動前に接続されていたキャッシュサーバ（例えばキャッシュサーバ１０＿Ｎ）から移動後に接続されたキャッシュサーバ（例えばキャッシュサーバ１０＿１）へ、当該コンテンツを送信するように制御する。
【００４０】
また、複数のキャッシュサーバ１０＿１〜１０＿Ｎのうちの携帯端末が移動後に接続されたキャッシュサーバ（例えばキャッシュサーバ１０＿１）は、上記インデックスを参照し、コンテンツのうちの携帯端末に配信されていない部分を携帯端末に配信することが好ましい。
【００４１】
ここで、インデックスは、コンテンツを格納したパケットのシーケンス番号またはタイムスタンプであってもよい。また、インデックスは、コンテンツをファイルで配信する場合におけるファイル番号であってもよい。
【００４２】
配信制御装置６０は、複数のパケット転送装置９０＿１〜９０＿Ｎから携帯端末のロケーション情報を受信し、該ロケーション情報に基づいて携帯端末が移動したか否かを判定するようにしてもよい。
【００４３】
また、配信制御装置６０は、所定の時間ごとに携帯端末が移動したか否かを判定するようにしてもよい。
【００４４】
さらに、配信制御装置６０は、所定の時間ごとに、携帯端末のロケーション情報を受信するようにしてもよい。
【００４５】
配信システムは、ゲートウェイ装置７５＿１〜７５＿Ｎをさらに備えていてもよい。ここで、ゲートウェイ装置７５＿１〜７５＿Ｎは、複数のパケット転送装置９０＿１〜９０＿Ｎと複数の無線制御装置９５＿１〜９５＿Ｌ、９７＿１〜９７＿Ｌとの間に設けられ、複数の無線制御装置９５＿１〜９５＿Ｌ、９７＿１〜９７＿Ｌからのパケットが所定の条件を満たす場合に限り、複数のパケット転送装置９０＿１〜９０＿Ｎと複数の無線制御装置９５＿１〜９５＿Ｌ、９７＿１〜９７＿Ｌとの間の上りおよび下りの通信を許可し、当該所定の条件を満たさない場合には、複数のパケット転送装置９０＿１〜９０＿Ｎを迂回してモバイルネットワーク５０以外のネットワークを介して上りおよび下りの通信を行うようにする。
【００４６】
ゲートウェイ装置７５＿１〜７５＿Ｎを設けることにより、携帯端末にモバイルネットワーク５０を介して大容量のコンテンツを配信する場合に、ネットワークの輻輳を回避することができる。
【００４７】
ここで、モバイルネットワーク５０は、モバイルパケットネットワークであってもよい。このとき、複数のパケット転送装置９０＿１〜９０＿Ｎは、それぞれＳＧＳＮ（Ｓｅｒｖｉｎｇ  ＧＰＲＳ  Ｓｕｐｐｏｒｔ  Ｎｏｄｅ）装置、ＧＧＳＮ（Ｇａｔｅｗａｙ  ＧＰＲＳ  Ｓｕｐｐｏｒｔ  Ｎｏｄｅ）装置またはｘＧＳＮ装置であってもよい。また、複数の無線制御装置９５＿１〜９５＿Ｌ、９７＿１〜９７＿Ｌは、それぞれＲＮＣ（Ｒａｄｉｏ  Ｎｅｔｗｏｒｋ  Ｃｏｎｔｒｏｌｌｅｒ）装置であってもよい。
【００４８】
一方、モバイルネットワーク５０は、モバイルＬＴＥ（Ｌｏｎｇ  Ｔｅｒｍ  Ｅｖｏｌｕｔｉｏｎ）／ＥＰＣ（Ｅｖｏｌｖｅｄ  Ｐａｃｋｅｔ  Ｃｏｒｅ）ネットワークであってもよい。このとき、複数のパケット転送装置９０＿１〜９０＿Ｎは、それぞれＳ−ＧＷ装置、Ｐ−ＧＷ装置またはＳ／Ｐ−ＧＷ装置であってもよい。また、複数の無線制御装置９５＿１〜９５＿Ｌ、９７＿１〜９７＿Ｌは、それぞれｅＮｏｄｅＢ（ｅｖｏｌｖｅｄ  Ｎｏｄｅ  Ｂ）装置であってもよい。
【００４９】
なお、モバイルネットワーク５０以外のネットワークは、一例として、インターネットであってもよい。
【００５０】
さらに、上記コンテンツは、動画、静止画、音声、オーディオ、ソフトウェア、アプリケーションの少なくともいずれかを含んでいてもよい。
【００５１】
本実施形態に係る配信システムによると、携帯端末にモバイルネットワークを介して大容量のコンテンツを配信する場合に、ネットワークの輻輳を回避しつつ、携帯端末が移動しても途切れることなくコンテンツを配信することができる。
【００５２】
（実施形態２）
本発明の第２の実施形態に係る配信システムについて、図面を参照して説明する。以下の実施形態では、一例として、コンテンツが動画像である場合について説明する。なお、コンテンツが静止画、オーディオ、音声、ソフトウェア、アプリケーションである場合においても、以下で説明する構成と同様の構成を採用することができる。
【００５３】
図２は、本実施形態に係る配信システムの構成を示す図である。図２を参照すると、配信システムは、ｘＧＳＮ装置１９０＿１〜１９０＿Ｎ、ＲＮＣ（Ｒａｄｉｏ  Ｎｅｔｗｏｒｋ  Ｃｏｎｔｒｏｌｌｅｒ）装置１９５＿１〜１９５＿Ｌ、…、１９７＿１〜１９７＿Ｌ、ゲートウェイ装置１７５＿１〜１７５＿Ｎ、キャッシュサーバ１１０＿１〜１１０＿Ｎ、および配信制御装置１６０を備えている。
【００５４】
図２を参照すると、さらに、モバイルパケットネットワーク１５０、インターネット、コンテンツ配信サーバ１２０、コンテンツ１００、基地局１８０＿１〜１８０＿Ｍ、…１８３＿１〜１８３＿Ｍ、および、携帯端末１７０＿１、１７０＿２が記載されている。
【００５５】
本実施形態では、一例として、モバイルネットワークには３Ｇモバイルパケットネットワーク１５０を用いるとともに、パケット転送装置にはｘＧＳＮ装置を用いるものとする。ここで、ｘＧＳＮ装置とは、ＳＧＳＮ（Ｓｅｒｖｉｎｇ  ＧＰＲＳ  Ｓｕｐｐｏｒｔ  Ｎｏｄｅ）装置とＧＧＳＮ（Ｇａｔｅｗａｙ  ＧＰＲＳ  Ｓｕｐｐｏｒｔ  Ｎｏｄｅ）装置とを同一場所に設けた装置をいう。
【００５６】
コンテンツ配信サーバ１２０は、コンテンツ１００として、動画像、静止画、オーディオ、音声、アプリケーション、ソフトウェアなどのうち、少なくとも一つを含むコンテンツを格納している。ここでは、一例として、コンテンツが動画像である場合について説明する。このとき、コンテンツ配信サーバ１２０は、動画像の圧縮符号化ビットストリームまたは圧縮符号化ビットストリームを格納したファイルを予め蓄積している。
【００５７】
モバイルパケットネットワーク１５０上には、Ｎ台（Ｎ≧２）のｘＧＳＮ装置１９０＿１〜１９０＿Ｎが設けられている。ｘＧＳＮ装置１９０＿１は、ゲートウェイ装置装置１７５＿１を経由してＲＮＣ装置１９５＿１〜１９５＿Ｌ（Ｌ≧２）に接続されている。同様に、ｘＧＳＮ装置１９０＿Ｎは、ゲートウェイ装置１７５＿Ｎを経由してＲＮＣ装置１９７＿１〜１９７＿Ｌに接続されている。なお、ｘＧＳＮ装置１９０＿２も、Ｌ台のＲＮＣ装置に接続されている（非図示）。
【００５８】
各ＲＮＣ装置は、Ｍ台（Ｍ≧２）の基地局に接続されている。例えば、ＲＮＣ装置１９５＿１は、基地局１８０＿１〜１８０＿Ｍに接続されている。
【００５９】
ゲートウェイ装置は、ｘＧＳＮ装置とＲＮＣ装置との間に接続されている。例えば、ゲートウェイ装置１７５＿１は、ｘＧＳＮ装置１９０＿１とＲＮＣ装置１９５＿１との間に接続されている。
【００６０】
各ｘＧＳＮ装置は、キャッシュサーバに接続されている。例えば、ｘＧＳＮ装置１９０＿１は、キャッシュサーバ１１０＿１に接続されている。
【００６１】
さらに、Ｎ台のキャッシュサーバ１１０＿１〜１１０＿Ｎは、互いに接続されている。また、Ｎ台のキャッシュサーバ１１０＿１〜１１０＿Ｎは、配信制御装置１６０に接続されている。
【００６２】
携帯端末１７０＿１が、コンテンツ配信サーバ１２０のＩＰアドレスを記載してコンテンツ配信の接続要求メッセージを送出したとする。このとき、携帯端末１７０＿１が在圏している基地局（図２の場合には、基地局１８３＿１〜１８３＿Ｍのうちのいずれか）は、接続要求メッセージを受信する。接続要求を受信した基地局は、基地局を管理しているＲＮＣ装置（図２の場合には、ＲＮＣ装置１９７＿Ｌ）に接続要求メッセージを送信する。
【００６３】
ＲＮＣ装置１９７−Ｌは、基地局から接続要求メッセージを受信すると、接続要求メッセージ、コンテンツ配信サーバ１２０のＩＰアドレス、携帯端末１７０＿１のＩＰアドレスをＧＴＰ−Ｕ（ＧＰＲＳ  Ｔｒａｎｓｆｅｒ  Ｐｒｏｔｏｃｏｌ−Ｕ−ｐｌａｎｅ）プロトコルのペイロード部分に格納する。また、ＲＮＣ装置１９７＿Ｌは、得られたＧＴＰ−Ｕパケットをゲートウェイ装置１７５＿Ｎに送信する。
【００６４】
ゲートウェイ装置１７５＿Ｎは、ＲＮＣ装置１９７＿Ｌから送信されたＧＴＰ−Ｕパケットを受信し、受信したＧＵＰ−Ｕパケットのヘッダ部およびペイロード部の少なくとも一方を解析する。ゲートウェイ装置１７５＿Ｎは、所定の条件を満たすパケットのみをｘＧＳＮ装置１９０＿Ｎに送出する。一方、ゲートウェイ装置１７５＿Ｎは、それ以外のパケットをモバイルパケットネットワーク１５０以外のネットワーク（図２ではインターネット）に送出する。
【００６５】
ここで、ゲートウェイ装置１７５＿ＮがｘＧＳＮ装置１９０＿Ｎを迂回させるパケットは、携帯端末１７０＿１からインターネットへの上りのパケットに限られない。ゲートウェイ装置１７５＿Ｎは、携帯端末１７０＿１から要求されたパケット、すなわち、インターネットから携帯端末１７０＿１への下りのパケットについても、ｘＧＳＮ装置を迂回させてＲＮＣ装置に送信する。
【００６６】
ゲートウェイ装置１７５＿Ｎは、一例として、接続要求先のＩＰアドレスもしくはＵＲＬ、携帯端末１７０＿１の電話番号または接続要求の内容などのパラメータのうちの少なくとも１つが予め定められた条件を満たすか否かを判別するようにしてもよい。
【００６７】
ここでは、接続要求先のＩＰアドレス、コンテンツ配信サーバのＩＰアドレスまたは携帯端末の電話番号が所定の条件を満たす場合には、ゲートウェイ装置１７５＿Ｎは、このセッションのパケットをｘＧＳＮ装置１９０＿Ｎに出力する。一方、これらが所定の条件を満たさない場合には、ゲートウェイ装置１７５＿Ｎは、このセッションのパケットをインターネットに出力する。
【００６８】
なお、他のゲートウェイ装置（例えばゲートウェイ装置１７５＿１）の動作は、ゲートウェイ装置１７５＿Ｎの動作と同様であることから、説明を省略する。
【００６９】
次に、図面を参照して、キャッシュサーバの構成について説明する。図３は、本実施形態に係る配信システムにおけるキャッシュサーバ１１０＿Ｎの構成を一例として示すブロック図である。ここでは、ｘＧＳＮ装置１９０＿Ｎに接続されたキャッシュサーバ１１０＿Ｎの構成について説明する。なお、他のキャッシュサーバ１１０＿１、１１０＿２の構成は、キャッシュサーバ１１０＿Ｎとの構成と同一であることから、説明を省略する。
【００７０】
図３を参照すると、キャッシュサーバ１１０＿Ｎは、制御信号送受信部１１１、解析部１１５、コンテンツリスト作成部１１６、コンテンツ取得部１１２、コンテンツ蓄積部１１３、およびインデックス蓄積部１１４を備えている。
【００７１】
制御信号送受信部１１１は、ｘＧＳＮ装置１９０＿Ｎから、携帯端末１７０＿１からの接続要求メッセージとＩＰアドレスなどを格納したＧＴＰ−Ｕパケットと、携帯端末１７０＿１のロケーション情報とを受信し、解析部１１５に出力する。
【００７２】
解析部１１５は、ＧＴＰ−Ｕパケットのペイロード部分に格納された接続要求メッセージの内容を読み出し、携帯端末１７０＿１の受信ＩＰアドレスと要求されたコンテンツなどの情報を、制御信号送受信部１１１を介して配信制御装置１６０に出力する。また、解析部１１５は、携帯端末１７０＿１のロケーション情報を制御信号送受信部１１１を介して配信制御装置１６０に送信する。
【００７３】
コンテンツ蓄積部１１３は、他のキャッシュサーバまたはコンテンツ配信サーバ１２０から取得したコンテンツを一時的に蓄積する。
【００７４】
コンテンツリスト作成部１１６は、コンテンツ蓄積部１１３に蓄積されているコンテンツのすべてに対し、予め定められた時間間隔毎に、コンテンツリストを作成・更新する。また、コンテンツリスト作成部１１６は、予め定められた時間間隔毎に、制御信号送受信部１１１を介して配信制御装置１６０にコンテンツリストを送信する。
【００７５】
コンテンツ取得部１１２は、制御信号送受信部１１１を経由して配信制御装置１６０から受信したコンテンツ確保指示またはコンテンツコピー指示に従い、指定されたコンテンツを他のキャッシュサーバまたはコンテンツ配信サーバ１２０から読み出し、コンテンツ蓄積部１１３に出力する。
【００７６】
コンテンツ蓄積部１１３は、コンテンツ取得部１１２から受信したコンテンツを蓄積する。
【００７７】
インデックス蓄積部１１４は、携帯端末が移動前に要求したコンテンツの配信を受けていた場合、移動直前までに配信されたコンテンツパケットのシーケンス番号（ＳＮ：Ｓｅｑｕｅｎｃｅ  Ｎｕｍｂｅｒ）またはタイムスタンプ（ＴＳ：Ｔｉｍｅ  Ｓｔａｍｐ）を当該コンテンツに対して、一時的に蓄積する。また、ファイル配信の場合には、インデックス蓄積部１１４は、配信されたファイルのファイル番号を当該コンテンツに対して一時的に蓄積する。
【００７８】
また、インデックス蓄積部１１４は、移動直前までに配信された分のＳＮ／ＴＳ、ファイル番号に基づいて、移動先の携帯端末に当該コンテンツを配信する場合において、当該コンテンツをパケットで配信するときには、蓄積されたＳＮの次のパケットから配信するようにコンテンツ蓄積部１１３に指示する。一方、ファイルで配信するときには、インデックス蓄積部１１４は、蓄積されたファイル番号の次の番号から配信するようにコンテンツ蓄積部１１３に指示する。
【００７９】
次に、図面を参照して、配信制御装置１６０の構成について説明する。図４は、本実施形態に係る配信システムにおける配信制御装置１６０の構成を示すブロック図である。図４を参照すると、配信制御装置１６０は、制御信号送受信部１６１、コンテンツマップ作成・蓄積部１６７、コンテンツ取得指示部１６８、および、移動判別部１６６を備えている。
【００８０】
制御信号送受信部１６１は、キャッシュサーバ１１０＿１〜１１０＿Ｎ、および、ｘＧＳＮ装置１９０＿１〜１９０＿Ｎに接続され、いくつかの情報のやり取りを行なう。ここでは、一例として、キャッシュサーバ１１０＿ＮおよびｘＧＳＮ装置１９０＿Ｎと、配信制御装置１６０との間における情報のやりとりについて説明する。
【００８１】
なお、他のキャッシュサーバ（例えば、キャッシュサーバ１１０＿１、１１０＿２）および他のｘＧＳＮ装置（例えばｘＧＳＮ装置１９０＿１、１９０＿２）と配信制御装置１６０との間における情報のやりとりは、キャッシュサーバ１１０＿ＮおよびｘＧＳＮ装置１９０＿Ｎと配信制御装置１６０との間における情報のやりとりと同一であることから、説明を省略する。
【００８２】
制御信号送受信部１６１は、携帯端末１７０＿１の受信ＩＰアドレス、コンテンツ配信サーバのＩＰアドレス、要求されたコンテンツの情報、および、携帯端末１７０＿１のロケーション情報をｘＧＳＮ装置１９０＿Ｎから受信し、コンテンツ取得指示部１６８に出力する。また、制御信号送受信部１６１が、予め定められた時間間隔毎に、キャッシュサーバ１１０＿Ｎを含むすべてのキャッシュサーバからコンテンツリストを受信し、コンテンツマップ作成・蓄積部１６７に出力する。
【００８３】
コンテンツマップ作成・蓄積部１６７は、予め定められた時間間隔毎に、キャッシュサーバ１１０＿Ｎを含むすべてのキャッシュサーバからコンテンツリストを受信し、どのキャッシュサーバがどのようなコンテンツを一時蓄積しているかを表す、キャッシュサーバ全体を網羅するコンテンツマップを作成して蓄積する。
【００８４】
コンテンツ取得指示部１６８は、携帯端末１７０＿１の受信ＩＰアドレス、要求されたコンテンツ情報、携帯端末１７０＿１のロケーション情報を、制御信号送受信部１６１を介してｘＧＳＮ装置１９０＿Ｎから受信する。コンテンツ取得指示部１６８は、これらに基づいて、携帯端末１７０＿１からみて物理的に近いキャッシュサーバを抽出する。また、コンテンツ取得指示部１６８は、制御信号送受信部１６１を介するとともに、キャッシュサーバおよびｘＧＳＮ装置を経由して、物理的に近いキャッシュサーバにリダイレクトさせる指示を携帯端末１７０＿１に送る。
【００８５】
さらに、コンテンツ取得指示部１６８は、コンテンツマップ作成・蓄積部１６７からコンテンツマップを読み出し、抽出したキャッシュサーバが携帯端末１７０＿１によって要求されたコンテンツを一時蓄積しているか否かを判別する。蓄積している場合には、コンテンツ取得指示部１６８は、当該キャッシュサーバへの通知を行なわない。一方、蓄積していない場合には、コンテンツ取得指示部１６８は、読み出したコンテンツマップを参照し、抽出されたキャッシュサーバ以外の他のキャッシュサーバのうちどのキャッシュサーバが携帯端末１７０＿１によって要求されたコンテンツを蓄積しているかを判別し、制御信号送受信部１６１を介して当該キャッシュサーバに対しコンテンツ確保指示を出力する。
【００８６】
コンテンツ確保指示は、要求されたコンテンツを蓄積しているキャッシュサーバのＩＰアドレスの通知と、要求されたコンテンツを確保する指示を含む。なお、他のいずれのキャッシュサーバも要求されたコンテンツを蓄積していない場合には、キャッシュサーバのＩＰアドレスを通知する代わりに、コンテンツ配信サーバ１２０のＩＰアドレスを通知し、コンテンツ配信サーバ１２０からコンテンツを確保するように指示する。
【００８７】
移動判別部１６６は、一定時間毎に、制御信号送受信部１６１を介してｘＧＳＮ装置から携帯端末１７０＿１のロケーション情報を受信する。また、移動判別部１６６は、一定時間毎に、携帯端末のロケーションが変化したか否かを判別する。携帯端末のロケーションが変化し移動したと判断した場合には、移動判別部１６６は、携帯端末が移動する前に接続していたキャッシュサーバのインデックス蓄積部１１４から、当該コンテンツについて携帯端末が移動する前に配信した分のＳＮ／ＴＳやファイル番号を読み出す。さらに、移動判別部１６６は、読み出したこれらの情報を、制御信号送受信部１６１を介して、移動先で接続するキャッシュサーバのインデックス蓄積部１１４に蓄積する。
【００８８】
さらに、移動判別部１６６は、当該コンテンツについて、コンテンツマップ作成・蓄積部１６７を探索し、携帯端末１７０＿１が移動先で接続するキャッシュサーバが当該コンテンツを保有しているか否かを判別する。保有していない場合には、移動判別部１６６は、制御信号送受信部１６１を介して、携帯端末１７０＿１が移動する前に接続していたキャッシュサーバから移動後に接続するキャッシュサーバにコンテンツをコピーするように、移動後に接続するキャッシュサーバのコンテンツ取得部に指示する。
【００８９】
図２を参照すると、携帯端末１７０＿１は、携帯端末１７０＿２の位置に移動した場合には、基地局１８０＿１〜１８０＿Ｍを介してＲＮＣ装置１９５＿１に接続し、ゲートウェイ装置１７５＿１を介してｘＧＳＮ装置１９０＿１に接続する。
【００９０】
携帯端末１７０＿２が移動前に視聴していたコンテンツを続きから視聴できるようにするため、配信制御装置１６０は、移動前に接続していたキャッシュサーバ１１０＿Ｎのインデックス蓄積部１１４から、当該コンテンツについて移動前に配信された分のＳＮ／ＴＳやファイル番号を読み出し、これを移動後に接続されるキャッシュサーバ１１０＿１のインデックス蓄積部１１４に出力する。
【００９１】
さらに、配信制御装置１６０は、コンテンツマップ作成・蓄積部１６７から移動先のキャッシュサーバ１１０＿１が要求されたコンテンツを一時蓄積しているか否かを判別し、蓄積していない場合には、移動後に接続されるキャッシュサーバ１１０＿１のコンテンツ取得部１１２に指示を与え、移動前のキャッシュサーバ１１０＿Ｎのコンテンツ蓄積部１１３から当該コンテンツを読み出して移動先のキャッシュサーバ１１０＿１のコンテンツ蓄積部１１３にコピーを蓄積させる。これにより、移動後に接続したキャッシュサーバ１１０＿１は、移動後の携帯端末１７０＿２に対し、要求されたコンテンツを移動前に視聴した続きから配信する。
【００９２】
図２は、一例として、１つのｘＧＳＮ装置に１つのキャッシュサーバを接続する場合の構成を示す。なお、複数のｘＧＳＮ装置に対して１つのキャッシュサーバを接続するようにしてもよい。
【００９３】
また、図２は、ＳＧＳＮ装置とＧＧＳＮ装置とを一体化したｘＧＳＮ装置を用いる場合の構成を示す。なお、ＳＧＳＮ装置とＧＧＳＮ装置とを分離した構成を採用することもできる。かかる構成を採用した場合には、ＳＧＳＮ装置またはＧＧＳＮ装置のいずれかにキャッシュサーバを接続する構成を採用してもよい。さらに、ＳＧＳＮ装置とＧＧＳＮ装置とを分離した構成を採用した場合には、ゲートウェイ装置１７５＿１〜１７５＿ＮをＳＧＳＮ装置とＧＧＳＮ装置との間に挿入してもよい。
【００９４】
なお、キャッシュサーバは、ＲＮＣ装置に接続してもよい。
【００９５】
また、携帯端末１７０＿１、１７０＿２は、携帯電話、スマートフォン、または、ＰＣにデータ通信カードを搭載したものでもよい。さらに、携帯端末１７０＿１、１７０＿２は、モバイル３Ｇネットワークまたはモバイル３．９Ｇネットワークと通信ができるものであれば、いかなる携帯端末であってもよい。
【００９６】
（実施形態３）
本発明の第３の実施形態に係る配信システムについて、図面を参照して説明する。
【００９７】
図５は、本実施形態に係る配信システムの構成を示す図である。図５を参照すると、配信システムは、Ｓ／Ｐ−ＧＷ装置２９０＿１〜２９０＿Ｎ、ｅＮｏｄｅＢ（ｅｖｏｌｖｅｄ  Ｎｏｄｅ  Ｂ）装置２６０＿１〜２６０＿Ｍ、２６１＿１〜２６１＿Ｍ、２６２＿１〜２６２＿Ｍ、ゲートウェイ装置１７５＿１〜１７５＿Ｎ、キャッシュサーバ１１０＿１〜１１０＿Ｎ、および配信制御装置１６０を備えている。
【００９８】
図５において、図２と同一の符号を付した構成要素は、図２と同一の動作を行なうことから、説明を省略する。
【００９９】
本実施形態では、モバイルネットワークとして、３Ｇモバイルネットワークの代わりに、３．９世代のモバイルネットワークであるモバイルＬＴＥ（Ｌｏｎｇ  Ｔｅｒｍ  Ｅｖｏｌｕｔｉｏｎ）／ＥＰＣ（Ｅｖｏｌｖｅｄ  Ｐａｃｋｅｔ  Ｃｏｒｅ）ネットワーク２５０を使用する場合について説明する。
【０１００】
ＬＴＥでは、基地局とＲＮＣ装置の機能が縮退し、ｅＮｏｄｅＢ装置のみとなる。また、ＥＰＣでは、Ｓ／Ｐ−ＧＷ（Ｓｅｒｖｉｎｇ／Ｐａｃｋｅｔ  Ｄａｔａ−ＧａｔｅＷａｙ）装置がｅＮｏｄｅＢ装置に接続される。
【０１０１】
ここで、Ｓ／Ｐ−ＧＷ装置とは、Ｓ−ＧＷ装置とＰ−ＧＷ装置とが一体化された装置をいう。また、図５は、一例として、Ｍ台のｅＮｏｄｅＢ装置が１台のＳ／Ｐ−ＧＷ装置に接続される構成を示す。例えば、Ｓ／Ｐ−ＧＷ装置２９０＿１は、ｅＮｏｄｅＢ装置２６０＿１〜２６０＿Ｍに接続されている。
【０１０２】
ゲートウェイ装置１７５＿１〜１７５＿Ｎは、ｅＮｏｄｅＢ装置とＳ／Ｐ−ＧＷ装置の間に挿入される。例えば、ゲートウェイ装置１７５＿１は、Ｓ／Ｐ−ＧＷ装置２９０＿１に接続されている。ゲートウェイ装置１７５＿１は、ｅ−ＮｏｄｅＢ装置２６０＿１〜２６０＿Ｍの各々から送出されるＧＴＰ−Ｕパケットに対し、ヘッダ部およびペイロード部の少なくとも一方を解析し、予め定められた条件を満たすパケットのみをＳ／Ｐ−ＧＷ装置２９０＿１に送出し、それ以外のパケットはモバイルＬＴＥ／ＥＰＣネットワーク２５０外のネットワーク（図５ではインターネット）に送出する。
【０１０３】
ここで、ゲートウェイ装置１７５＿１〜１７５＿ＮがＳ／Ｐ−ＧＷ装置を迂回させるパケットは、携帯端末２７０＿１〜２７０＿２からインターネットへの上りのパケットに限られない。ゲートウェイ装置１７５＿１〜１７５＿Ｎは、インターネットから携帯端末１７０＿１、１７０＿２への下りのパケットについても、Ｓ／Ｐ−ＧＷ装置を迂回させてゲｅＮｏｄｅＢ装置に送信する。
【０１０４】
ゲートウェイ装置１７５＿１〜１７５＿Ｎは、一例として、接続要求先のＩＰアドレスもしくはＵＲＬ、携帯端末２７０＿１、２７０＿２の電話番号または接続要求内容などのパラメータのうちの少なくとも１つが予め定められた条件を満たすか否かを判別するようにしてもよい。
【０１０５】
ここでは、接続要求先のＩＰアドレス、コンテンツ配信サーバのＩＰアドレスまたは携帯端末の電話番号が所定の条件を満たす場合には、ゲートウェイ装置１７５＿１〜１７５＿Ｎは、このセッションの上りおよび下りのパケットをＳ／Ｐ−ＧＷ装置に出力する。一方、これらが所定の条件を満たさない場合には、ゲートウェイ装置１７５＿１〜１７５＿Ｎは、このセッションのパケットをインターネットに出力する。
【０１０６】
図５を参照すると、各Ｓ／Ｐ−ＧＷ装置に対して１台のキャッシュサーバが接続されている。例えば、Ｓ／Ｐ−ＧＷ装置２９０＿１に対してキャッシュサーバ１１０＿１が接続されている。
【０１０７】
携帯端末２７０＿１が、コンテンツ配信サーバ１２０のＩＰアドレスを記載してコンテンツ配信の接続要求メッセージを送出したとする。このとき、携帯端末２７０＿１が在圏しているｅＮｏｄｅＢ装置（図５の場合には、ｅＮｏｄｅＢ装置２６２＿１〜２６２＿Ｍのいずれか）は、接続要求メッセージを受信する。接続要求を受信したｅＮｏｄｅＢ装置は、接続要求メッセージ、コンテンツ配信サーバ１２０のＩＰアドレス、携帯端末２７０＿１のＩＰアドレスをＧＴＰ−Ｕプロトコルのペイロード部分に格納し、得られたＧＴＰ−ＵパケットをＳ／Ｐ−ＧＷ装置２９０＿Ｎに送信する。
【０１０８】
キャッシュサーバ１１０＿１〜１１０＿Ｎは、図３に示したものと同一の構成である。なお、本実施形態では、制御信号送受信部１１１の接続先は、Ｓ／Ｐ−ＧＷ装置２９０＿１〜２９０＿Ｎである。したがって、制御信号送受信部１１１は、携帯端末２７０＿１からの接続要求メッセージとＩＰアドレスなどを格納したＧＴＰ−Ｕパケットと、携帯端末２７０＿１のロケーション情報とをＳ／Ｐ−ＧＷ装置２９０＿Ｎから受信する。なお、他のキャッシュサーバ１１０＿１〜１１０＿２においても、それぞれに接続されるＳ／Ｐ−ＧＷ装置との間で上記のやりとりを行う。
【０１０９】
携帯端末２７０＿１が携帯端末２７０＿２の位置に移動した場合には、配信制御装置１６０からの指示により、キャッシュサーバ１１０＿Ｎからキャッシュサーバ１１０＿１に対し、移動前に配信された部分のＳＮ／ＴＳ、ファイル番号の出力を行なう。また、キャッシュサーバ１１０＿１に要求されたコンテンツがない場合には、要求されたコンテンツをキャッシュサーバ１１０＿Ｎからキャッシュサーバ１１０＿１へコピーする。
【０１１０】
図５は、一例として、１つのＳ／Ｐ−ＧＷ装置に１つのキャッシュサーバを接続する場合の構成を示す。なお、複数のＳ／Ｐ−ＧＷ装置に対し１つのキャッシュサーバを接続するようにしてもよい。
【０１１１】
また、図５は、Ｓ−ＧＷ装置とＰ−ＧＷ装置とを一体化したＳ／Ｐ−ＧＷ装置を用いる場合の構成を示す。なお、Ｓ−ＧＷ装置とＰ−ＧＷ装置とを分離した構成を採用することもできる。かかる構成を採用した場合には、Ｓ−ＧＷ装置またはＰ−ＧＷ装置のいずれかにキャッシュサーバを接続する構成を採用してもよい。さらに、Ｓ−ＧＷ装置とＰ−ＧＷ装置とを分離した構成を採用した場合には、ゲートウェイ装置１７５＿１〜１７５＿ＮをＳ−ＧＷ装置とＰ−ＧＷ装置との間に挿入してもよい。
【０１１２】
なお、キャッシュサーバは、ｅＮｏｄｅＢ装置に接続してもよい。
【０１１３】
また、携帯端末２７０＿１、２７０＿２は、携帯電話、スマートフォン、または、ＰＣにデータ通信カードを搭載したものでもよい。さらに、携帯端末２７０＿１、２７０＿２は、ＬＴＥ／ＥＰＣネットワークと通信ができるものであれば、いかなる携帯端末であってもよい。
【０１１４】
上記実施形態の配信システムでは、コンテンツが動画である場合について説明した。なお、コンテンツが静止画、音声、オーディオ、ソフトウェア、アプリケーションである場合においても、同様の構成を用いることができることは言うまでもない。
【０１１５】
第１ないし第３の実施形態の配信システムによると、それぞれ、以下に詳述する効果がもたらされる。
【０１１６】
第２または第３の実施形態の配信システムでは、携帯端末から送出されたパケットの接続先情報などを調べ予め定められた条件を満たすパケットのみをモバイルネットワーク上のパケット転送装置に送出し、そうでないパケットは外部ネットワークに送出する。したがって、多数の大容量コンテンツを配信する場合においても、モバイルネットワークにおいて輻輳を生じるのを防ぐことができる（第１の効果）。
【０１１７】
また、第１ないし第３の実施形態の配信システムでは、コンテンツ配信サーバからではなく、携帯端末と近い距離にあるキャッシュサーバからコンテンツを配信するため、従来と比較してコンテンツ配信の距離を短くすることができる。したがって、携帯端末にコンテンツが到着するまでの時間を短縮し、携帯端末で要求を出してからコンテンツを再生するまでの遅延時間を大幅に短縮することができ、エンドユーザのＱｏＥ（Ｑｕａｌｉｔｙ  ｏｆ  Ｅｘｐｅｒｉｅｎｃｅ）を大幅に改善することができる（第２の効果）。
【０１１８】
さらに、第１ないし第３の実施形態の配信システムでは、携帯端末へのコンテンツ配信中に携帯端末が移動しても、配信制御装置６０または１６０の指示により移動前に接続していたキャッシュサーバと移動後に接続したキャッシュサーバとの間でコンテンツをコピーすることや、移動前に携帯端末に配信した分のシーケンス番号／タイムスタンプやファイル番号を移動後のキャッシュサーバに出力する。したがって、携帯端末側で途切れることなく連続してコンテンツを視聴することができる（第３の効果）。
【０１１９】
第１ないし第３の実施形態の配信システムでは、携帯端末の台数が増大し、または、流れるパケットトラヒック量が大幅に増大しても、ネットワーク内のトラヒックの輻輳が発生しない。したがって、遅延やパケットロスが発生せず、携帯端末側で画像がフリーズしたり、音声が途切れるおそれがない（第４の効果）。
【０１２０】
第１ないし第３の実施形態の配信システムによると、携帯端末の増加やトラヒック量の増加を見越して、コンテンツ配信サーバやパケット転送装置などを常時増強し続ける必要がなく、携帯端末を改造する必要もない（第５の効果）。
【０１２１】
なお、上記の特許文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【０１２２】
なお、上記実施形態の一部又は全部は、以下の付記として記載することができるものであるが、これらに限定されるものではない。
【０１２３】
（付記１）コンテンツ配信サーバに接続された複数のパケット転送装置と、
前記複数のパケット転送装置と携帯端末との間の通信を中継する複数の無線制御装置と、
前記複数のパケット転送装置および前記複数の無線制御装置のうちの少なくともいずれかにそれぞれ接続されるとともに、携帯端末から要求されたコンテンツを一時的に保持する複数のキャッシュサーバと、
前記携帯端末が移動したと判定した場合には、前記携帯端末から要求されたコンテンツのうちの前記携帯端末にすでに配信された部分を識別するインデックスを、前記複数のキャッシュサーバのうちの前記携帯端末が移動前に接続されていたキャッシュサーバから移動後に接続されたキャッシュサーバへ通知するように制御するとともに、移動後に接続されたキャッシュサーバが前記携帯端末から要求されたコンテンツを保有していないときには、移動前に接続されていたキャッシュサーバから移動後に接続されたキャッシュサーバへ、該コンテンツを送信するように制御する配信制御装置と、をモバイルネットワーク上に備えていることを特徴とする配信システム。
【０１２４】
（付記２）前記複数のキャッシュサーバのうちの前記携帯端末が移動後に接続されたキャッシュサーバは、前記インデックスを参照し、前記コンテンツのうちの前記携帯端末に配信されていない部分を前記携帯端末に配信することを特徴とする、付記１に記載の配信システム。
【０１２５】
（付記３）前記インデックスは、前記コンテンツを格納したパケットのシーケンス番号もしくはタイムスタンプ、または、前記コンテンツをファイルで配信する場合におけるファイル番号であることを特徴とする、付記１または２に記載の配信システム。
【０１２６】
（付記４）前記配信制御装置は、前記複数のパケット転送装置から前記携帯端末のロケーション情報を受信し、該ロケーション情報に基づいて前記携帯端末が移動したか否かを判定することを特徴とする、付記１ないし３のいずれか一に記載の配信システム。
【０１２７】
（付記５）前記配信制御装置は、所定の時間ごとに前記携帯端末が移動したか否かを判定することを特徴とする、付記１ないし４のいずれか一に記載の配信システム。
【０１２８】
（付記６）前記配信制御装置は、所定の時間ごとに前記ロケーション情報を受信することを特徴とする、付記４または５に記載の配信システム。
【０１２９】
（付記７）前記複数のパケット転送装置と前記複数の無線制御装置との間に設けられ、前記複数の無線制御装置からのパケットが所定の条件を満たす場合に限り、前記複数のパケット転送装置と前記複数の無線制御装置との間の上りおよび下りの通信を許可し、該所定の条件を満たさない場合には、前記複数のパケット転送装置を迂回して前記モバイルネットワーク以外のネットワークを介して上りおよび下りの通信を行うゲートウェイ装置をさらに備えていることを特徴とする、付記１ないし６のいずれか一に記載の配信システム。
【０１３０】
（付記８）前記モバイルネットワークは、モバイルパケットネットワークであり、
前記複数のパケット転送装置は、それぞれＳＧＳＮ（Ｓｅｒｖｉｎｇ  ＧＰＲＳ  Ｓｕｐｐｏｒｔ  Ｎｏｄｅ）装置、ＧＧＳＮ（Ｇａｔｅｗａｙ  ＧＰＲＳ  Ｓｕｐｐｏｒｔ  Ｎｏｄｅ）装置またはｘＧＳＮ装置であり、
前記複数の無線制御装置は、それぞれＲＮＣ（Ｒａｄｉｏ  Ｎｅｔｗｏｒｋ  Ｃｏｎｔｒｏｌｌｅｒ）装置であることを特徴とする、付記１ないし７のいずれか一に記載の配信システム。
【０１３１】
（付記９）前記モバイルネットワークは、モバイルＬＴＥ（Ｌｏｎｇ  Ｔｅｒｍ  Ｅｖｏｌｕｔｉｏｎ）／ＥＰＣ（Ｅｖｏｌｖｅｄ  Ｐａｃｋｅｔ  Ｃｏｒｅ）ネットワークであり、
前記複数のパケット転送装置は、それぞれＳ−ＧＷ装置、Ｐ−ＧＷ装置またはＳ／Ｐ−ＧＷ装置であり、
前記複数の無線制御装置は、それぞれｅＮｏｄｅＢ（ｅｖｏｌｖｅｄ  Ｎｏｄｅ  Ｂ）装置であることを特徴とする、付記１ないし７のいずれか一に記載の配信システム。
【０１３２】
（付記１０）前記モバイルネットワーク以外のネットワークは、インターネットであることを特徴とする、付記７ないし９のいずれか一に記載の配信システム。
【０１３３】
（付記１１）前記コンテンツは、動画、静止画、音声、オーディオ、ソフトウェア、アプリケーションの少なくともいずれかを含むことを特徴とする、付記１ないし１０のいずれか一に記載の配信システム。
【０１３４】
（付記１２）コンテンツ配信サーバに接続された複数のパケット転送装置と、該複数のパケット転送装置と携帯端末との間の通信を中継する複数の無線制御装置と、該複数のパケット転送装置および該複数の無線制御装置のうちの少なくともいずれかにそれぞれ接続されるとともに該携帯端末から要求されたコンテンツを一時的に保持する複数のキャッシュサーバとを備えたモバイルネットワークに設けられる配信制御装置であって、
前記携帯端末が移動したと判定した場合には、前記携帯端末から要求されたコンテンツのうちの前記携帯端末にすでに配信された部分を識別するインデックスを、前記複数のキャッシュサーバのうちの前記携帯端末が移動前に接続されていたキャッシュサーバから移動後に接続されたキャッシュサーバへ通知するように制御するとともに、移動後に接続されたキャッシュサーバが前記携帯端末から要求されたコンテンツを保有していないときには、移動前に接続されていたキャッシュサーバから移動後に接続されたキャッシュサーバへ、該コンテンツを送信するように制御することを特徴とする配信制御装置。
【０１３５】
（付記１３）前記インデックスは、前記コンテンツを格納したパケットのシーケンス番号もしくはタイムスタンプ、または、前記コンテンツをファイルで配信する場合におけるファイル番号であることを特徴とする、付記１２に記載の配信制御装置。
【０１３６】
（付記１４）前記複数のパケット転送装置から前記携帯端末のロケーション情報を受信し、該ロケーション情報に基づいて前記携帯端末が移動したか否かを判定することを特徴とする、付記１２または１３に記載の配信制御装置。
【０１３７】
（付記１５）所定の時間ごとに前記ロケーション情報を受信することを特徴とする、付記１４に記載の配信制御装置。
【０１３８】
（付記１６）所定の時間ごとに前記携帯端末が移動したか否かを判定することを特徴とする、付記１２ないし１５のいずれか一に記載の配信制御装置。
【０１３９】
（付記１７）コンテンツ配信サーバに接続された複数のパケット転送装置と、該複数のパケット転送装置と携帯端末との間の通信を中継する複数の無線制御装置と、該複数のパケット転送装置および該複数の無線制御装置のうちの少なくともいずれかにそれぞれ接続されるとともに該携帯端末から要求されたコンテンツを一時的に保持する複数のキャッシュサーバとを備えたモバイルネットワークに設けられた配信制御装置が、該携帯端末が移動したか否かを判定する工程を含み、
前記携帯端末が移動したと判定した場合には、前記携帯端末から要求されたコンテンツのうちの前記携帯端末にすでに配信された部分を識別するインデックスを、該複数のキャッシュサーバのうちの該携帯端末が移動前に接続されていたキャッシュサーバから移動後に接続されたキャッシュサーバへ通知するように制御する工程と、
移動後に接続されたキャッシュサーバが前記携帯端末から要求されたコンテンツを保有していないときには、移動前に接続されていたキャッシュサーバから移動後に接続されたキャッシュサーバへ、該コンテンツを送信するように制御する工程と、を含むことを特徴とする配信制御方法。
【０１４０】
（付記１８）前記複数のキャッシュサーバのうちの前記携帯端末が移動後に接続されたキャッシュサーバが、前記インデックスを参照し、前記コンテンツのうちの前記携帯端末に配信されていない部分を前記携帯端末に配信する工程をさらに含むことを特徴とする、付記１７に記載の配信制御方法。
【０１４１】
（付記１９）前記インデックスは、前記コンテンツを格納したパケットのシーケンス番号もしくはタイムスタンプ、または、前記コンテンツをファイルで配信する場合におけるファイル番号であることを特徴とする、付記１７または１８に記載の配信制御方法。
【０１４２】
（付記２０）前記配信制御装置は、前記複数のパケット転送装置から前記携帯端末のロケーション情報を受信し、該ロケーション情報に基づいて前記携帯端末が移動したか否かを判定することを特徴とする、付記１７ないし１９のいずれか一に記載の配信制御方法。
【０１４３】
（付記２１）前記配信制御装置は、所定の時間ごとに前記ロケーション情報を受信することを特徴とする、付記２０に記載の配信制御方法。
【０１４４】
（付記２２）前記配信制御装置は、所定の時間ごとに前記携帯端末が移動したか否かを判定することを特徴とする、付記１７ないし２１のいずれか一に記載の配信制御方法。
【０１４５】
（付記２３）コンテンツ配信サーバに接続された複数のパケット転送装置と、該複数のパケット転送装置と携帯端末との間の通信を中継する複数の無線制御装置と、該複数のパケット転送装置および該複数の無線制御装置のうちの少なくともいずれかにそれぞれ接続されるとともに該携帯端末から要求されたコンテンツを一時的に保持する複数のキャッシュサーバとを備えたモバイルネットワークに設けられたコンピュータに、該携帯端末が移動したか否かを判定する処理を実行させ、
前記携帯端末が移動したと判定した場合には、前記携帯端末から要求されたコンテンツのうちの前記携帯端末にすでに配信された部分を識別するインデックスを、該複数のキャッシュサーバのうちの該携帯端末が移動前に接続されていたキャッシュサーバから移動後に接続されたキャッシュサーバへ通知するように制御する処理と、
移動後に接続されたキャッシュサーバが前記携帯端末から要求されたコンテンツを保有していないときには、移動前に接続されていたキャッシュサーバから移動後に接続されたキャッシュサーバへ、該コンテンツを送信するように制御する処理と、を実行させることを特徴とするプログラム。
【０１４６】
（付記２４）前記インデックスは、前記コンテンツを格納したパケットのシーケンス番号もしくはタイムスタンプ、または、前記コンテンツをファイルで配信する場合におけるファイル番号であることを特徴とする、付記２３に記載のプログラム。
【０１４７】
（付記２５）前記複数のパケット転送装置から前記携帯端末のロケーション情報を受信し、該ロケーション情報に基づいて前記携帯端末が移動したか否かを判定する処理を、コンピュータに実行させることを特徴とする、付記２３または２４に記載のプログラム。
【０１４８】
（付記２６）所定の時間ごとに前記ロケーション情報を受信する処理を、コンピュータに実行させることを特徴とする、付記２５に記載のプログラム。
【０１４９】
（付記２７）所定の時間ごとに前記携帯端末が移動したか否かを判定する処理を、コンピュータに実行させることを特徴とする、付記２３ないし２６のいずれか一に記載のプログラム。
【符号の説明】
【０１５０】
１０＿１〜１０＿Ｎ    キャッシュサーバ
５０    モバイルネットワーク
６０、１６０    配信制御装置
７５＿１〜７５＿Ｎ、１７５＿１〜１７５＿Ｎ    ゲートウェイ装置
９０＿１〜９０＿Ｎ    パケット転送装置
９５＿１〜９５＿Ｌ、９７＿１〜９７＿Ｌ    無線制御装置
１００    コンテンツ
１１０＿１〜１１０＿Ｎ    キャッシュサーバ
１１１    制御信号送受信部
１１２    コンテンツ取得部
１１３    コンテンツ蓄積部
１１４    インデックス蓄積部
１１５    解析部
１１６    コンテンツリスト作成部
１２０    コンテンツ配信サーバ
１５０    モバイルパケットネットワーク
１６１    制御信号送受信部
１６６    移動判別部
１６７    コンテンツマップ作成・蓄積部
１６８    コンテンツ取得指示部
１７０＿、１７０＿２、２７０＿１、２７０＿２    携帯端末
１８０＿１〜１８０＿Ｍ、１８１＿１〜１８１＿Ｍ、１８２＿１〜１８２＿Ｍ、１８３＿１〜１８３＿Ｍ    基地局
１９０＿１〜１９０＿Ｎ    ｘＧＳＮ装置
１９５＿１〜１９５＿Ｌ、１９７＿１〜１９７＿Ｌ    ＲＮＣ装置
２５０    モバイルＬＴＥ／ＥＰＣネットワーク
２６０＿１〜２６０＿Ｍ、２６１＿１〜２６１＿Ｍ、２６２＿１〜２６２＿Ｍ    ｅＮｏｄｅＢ装置
２９０＿１〜２９０＿Ｎ    Ｓ／Ｐ−ＧＷ装置
【図１】
2012023659.tif 000003
【図２】
2012023659.tif 000004
【図３】
2012023659.tif 000005
【図４】
2012023659.tif 000006
【図５】
2012023659.tif 000007